(57)【特許請求の範囲】
【請求項１】
被検眼に光源からの照明光、撮影光を照射する照明系と、照明系により照明される被検眼の被検眼像を観察する観察系とを備える装置本体と、
前記観察系の光路から被検眼からの光束をカラー撮像素子で受光し被検眼像を撮影し記録する撮影装置と、
を有する眼科撮影装置において、
前記被検眼に対する白内障モード及び混濁度の程度を指定する指定手段と、
この指定手段の指定に基づき、混濁度の程度に応じたブルーゲイン調整を行う調整手段とを有することを特徴とする眼科撮影装置。
【請求項２】
被検眼に光源からの照明光、撮影光を照射する照明系と、照明系により照明される被検眼の被検眼像を観察する観察系とを備える装置本体と、
前記観察系の光路から被検眼からの光束をカラー撮像素子で受光し被検眼像を撮影し記録する撮影装置と、
を有する眼科撮影装置において、
前記被検眼の白内障の混濁度の程度を検出する検出手段と、
この検出手段の検出結果に基づき、混濁度の程度に応じたブルーゲイン調整を行う調整手段とを有することを特徴とする眼科撮影装置。
【発明の詳細な説明】
【０００１】
【発明の属する技術分野】
本発明は、眼科撮影装置に関するものである。
【０００２】
【従来の技術】
眼科撮影装置の一種として用いられる細隙灯顕微鏡は、眼科分野の医療従事者が被検眼を観察するために多用されている。細隙灯顕微鏡での被検眼の観察像の撮影は、観察光路の途中にデジタルカメラ、３５ｍｍ静止画カメラ等の撮影装置を配置し、直接撮影モード、間接撮影モード等のような種々の撮影モードを設定し、観察光を撮影面（撮像面）に導いて撮影することにより行なわれる。
【０００３】
このような細隙灯顕微鏡において、被検眼の撮影を行なう場合、種々の撮影モードに応じて撮影する部位、観察倍率（撮影倍率）、スリット幅、撮影光量、照明角度等の細隙灯顕微鏡側の各種条件設定や、露光時間、絞り、露出補正の有無、ガンマ値、コントラスト等の撮影装置側の各種条件設定が必要となる。
【０００５】
【発明が解決しようとする課題】
しかし、被検眼の水晶体の混濁による白内障を観察、撮影する場合に使用される従来の眼底カメラ等を含む眼科撮影装置においては、単に白内障モードを指定するに止まり、白内障の混濁の程度に応じた本体側条件及び撮影装置側の撮影条件の適切な設定が行われていないのが実情である。
【０００６】
本発明は、上記事情に鑑みてなされたものであり、白内障の混濁の程度に応じた撮影も的確に行うことができる眼科撮影装置を提供するものである。
【００１１】
【課題を解決するための手段】
請求項１記載の発明は、被検眼に光源からの照明光、撮影光を照射する照明系と、照明系により照明される被検眼の被検眼像を観察する観察系とを備える装置本体と、前記観察系の光路から被検眼からの光束をカラー撮像素子で受光し被検眼像を撮影し記録する撮影装置と、を有する眼科撮影装置において、前記被検眼に対する白内障モード及び混濁度の程度を指定する指定手段と、この指定手段の指定に基づき、混濁度の程度に応じたブルーゲイン調整を行う調整手段とを有することを特徴とするものである。
【００１２】
この発明によれば、被検眼に対する白内障モード及び混濁度の程度に応じて、ブルーゲイン調整が行われるので、白内障を患っている被検眼に対する撮影をその混濁度の度合いに応じて各々的確に撮影することが可能となる。
【００１３】
請求項２記載の発明は、被検眼に光源からの照明光、撮影光を照射する照明系と、照明系により照明される被検眼の被検眼像を観察する観察系とを備える装置本体と、前記観察系の光路から被検眼からの光束をカラー撮像素子で受光し被検眼像を撮影し記録する撮影装置と、を有する眼科撮影装置において、前記被検眼の白内障の混濁度の程度を検出する検出手段と、この検出手段の検出結果に基づき、混濁度の程度に応じたブルーゲイン調整を行う調整手段とを有することを特徴とするものである。
【００１４】
この発明によれば、被検眼の混濁度の程度を検出して、混濁度の程度に応じたカラー撮像素子のブルーゲイン調整が行われるので、白内障を患っている被検眼に対する撮影をその混濁度の度合いに応じて各々的確に撮影することが可能となる。
【００１５】
【発明の実施の形態】
以下に本発明の実施の形態について詳細に説明する。
【００１６】
（実施の形態１）
図１に示す本実施の形態１の眼科撮影装置１は、検眼用のテーブル２上において移動機構部３により水平横方向及び水平縦方向に移動可能に支持されている架台１１と、この架台１１により垂直上下方向に支持された基台４と、傾倒操作により前記架台１１を水平横方向及び水平縦方向に変位させる操作ハンドル５と、前記基台４の突出軸筒部４ａにより各々水平方向に回動可能に支持された光源部６ａ、プリズム１２等を有する照明系６と、被検眼Ｅを観察する観察系７と、この観察系７の対物レンズ３１を収納した鏡筒本体９に対峙させた被検者用の顎受部１０ａ、額当て１０ｂ及び前記テーブル２に取り付ける基部１０ｃを有する顎受け台１０とからなる装置本体（以下「本体」という）２０を有している。
【００１７】
前記観察系７は、前記基台４の突出軸筒部４ａにより一端を軸支した側面略逆Ｌ状の支持アーム１４により回動可能に支持されている。また、照明系６は支持アーム１４の一端の上側において前記基台４の突出軸筒部４ａにより回動可能に支持されている。
【００１８】
前記観察系７の鏡筒本体９と接眼鏡筒９ａとの間には、カメラアタッチメント１６を介してデジタルカメラからなる撮影装置１３が取り付けられるようになっている。前記テーブル２の下面側には、光源部６ａに電力供給を行う電源ボックス１５が配置されている。
【００１９】
さらに、眼科撮影装置１は、図１に示すように、前記本体２０とは別に、詳細は後述する記憶手段６１、指定手段６２、制御部６０、画像処理手段６３を含む制御装置４０と、被検眼Ｅの画像をモニタする画像モニタ２１とを有している。
【００２０】
次に、眼科撮影装置１の本体２０の光学系の構成について図２を参照して説明する。
【００２１】
図２は、本体２０の光学構成の概略を示すものであり、この本体２０は、被検眼Ｅに対峙させるプリズム１２の下側に配置した照明系６と、プリズム１２に関して照明系６と直交配置した観察系７と、前記カメラアタッチメント１６及び撮影装置１３とを有している。
【００２２】
前記照明系６は、ハロゲンランプ等の光源５１と、この光源５１からの光を集光するコンデンサレンズ５２と、赤外線カットフィルタ５３と、色温度変換フィルタ５４と、光路を９０度上方に曲げるミラー５５と、光の一部のみを通過させスリット光を得るスリット（細隙）５６と、リレーレンズ５７と、被検眼Ｅの眼底観察時に使用するフレアーカット用の光束絞り部５８とを有し、光束絞り部５８の上部に前記プリズム１２を配置した構成となっている。尚、前記照明系６は、図３には示していないが、被検眼Ｅの観察時の背景照明を行う背景照明部８１（図４の撮影処理モード２の欄参照）を備えた構成となっている。
【００２３】
前記観察系７は、前記プリズム１２と、対物レンズ３１と、変倍光学系３２と、集光レンズ３３と、リレーレンズ３５と、光路を接眼鏡筒９ａ側に変更するプリズム３６と、接眼鏡筒９ａに配置した接眼レンズ３７とを具備し、被検眼Ｅの像を図２に示す結像点Ｐに結像し、検者眼Ｅｏにより観察可能とするようになっている。
【００２４】
また、前記カメラアタッチメント１６は、観察系７の光路内に挿入されるビームスプリッタ３４と、このビームスプリッタ３４により分岐される光束を集光し、撮影装置１３に導いて結像させる集光レンズ４１とを有している。
【００２５】
図３は本実施の形態１の眼科撮影装置１の制御系を示すものであり、前記被検眼Ｅの撮影時の複数種の撮影処理モード毎の本体２０側の撮影条件及び撮影装置１３側の撮影処理条件を記憶したＲＯＭ等の記憶手段６１と、前記被検眼Ｅの撮影処理モードを指定するキー操作部のような指定手段６２と、この指定手段６２の指定に基づき前記記憶手段６１から対応する撮影処理モードの本体２０側の撮影条件、撮影装置１３側の撮影処理条件を読み出し、前記本体２０に対する撮影条件設定、撮影装置１３に対する撮影処理条件設定を行う設定手段としての制御部６０と、撮影画像の処理を行う画像処理手段６３とを含む制御装置４０と、制御装置４０に接続され被検眼Ｅの画像をモニタする液晶ディスプレイのような画像モニタ２１とを有している。
【００２６】
上述した制御装置４０と、撮影装置１３、本体２０との接続には各々撮影装置制御ケーブル７１、本体制御ケーブル７２が用いられる。
【００２７】
次に、撮影装置１３による被検眼Ｅの撮影時の複数種の撮影処理モード、各撮影処理モードに対応する本体２０側の撮影条件及び撮影装置１３側の撮影処理条件、各撮影処理モードにて撮影した被検眼の画像について、図４乃至図６を参照して詳述する。
【００２８】
本実施の形態１の眼科撮影装置１においては、以下のような撮影処理モード１乃至撮影処理モード７がある。
【００２９】
（１）撮影処理モード１（拡散照明モード）
この撮影処理モード１の場合、記憶手段６１に記憶される本体２０側の撮影条件としては、図４に示すように、観察倍率：１６（１．６）、スリット幅：全開、撮影光量：３〜６、照明角度：１０〜３０度、背景照明：無、拡散レンズ８０：有の各設定情報が含まれる。
【００３０】
また、撮影装置１３側の撮影処理条件には、図６に示す撮影処理モード１のように、露光時間Ａｕｔｏ、Ｆｎｏ（絞り）大、露出補正：無、感度低、ガンマ値標準、測光エリア平均、シャープネス標準、コントラスト標準、色標準の各設定情報が含まれる。
【００３１】
前記指定手段６２によりこの撮影処理モード１の各条件を指定して被検眼Ｅを撮影した場合、図４に示す撮影処理モード１の最右欄に示す被検眼画像を撮影でき、標準的な露出で、拡散レンズ８０を使用することから被検眼全体に照明光が一様に当たり、画面中央の病変部１０１を含め画像明暗の差が少ない画像となる。
【００３２】
（２）撮影処理モード２（直接照明モード）
この撮影処理モード２の場合、図４に示すように照明系６において背景照明部８１を使用し、記憶手段６１に記憶される本体２０側の撮影条件としては、図４に示すように、観察倍率：１６（１．６）、スリット幅：極細、撮影光量：４〜５、照明角度：３０〜９０度、背景照明：必要によりＬ（小）Ｈ（大）、拡散レンズ：無の各設定情報が含まれる。
【００３３】
また、撮影装置１３側の撮影処理条件には、図６に示す撮影処理モード２のように、露光時間最長１／８秒、Ｆｎｏ（絞り）Ａｕｔｏ、露出補正＋、感度高、ガンマ値標準、測光エリア；ハイライト部、シャープネス標準、コントラスト標準、色標準の各設定情報が含まれる。
【００３４】
この撮影処理モード２の各条件を指定して被検眼Ｅを撮影した場合、図４に示す撮影処理モード２の最右欄に示す中央部に角膜断面像１０２が存在する被検眼画像を撮影できる。この撮影処理モード２においては、ハイライト部に露出を合わせて撮影を行うものであり、スリット照明が細く、そのハイライト部であるスリット反射光自体を撮影対象とする。ただし、露光量は少ないため、感度を上げ、露光時間を長めにせず、ぶれた画像にならないようにする必要がある。また、スリット反射光は明るめの方が良く、露出補正を＋に設定する。
【００３５】
（３）撮影処理モード３（間接照明モード）
この撮影処理モード３の場合、記憶手段６１に記憶される本体２０側の撮影条件としては、図４に示すように、観察倍率：２５（２．５）、スリット幅：中、撮影光量：３〜４、照明角度：３０〜６０度、背景照明：無、拡散レンズ：無の各設定情報が含まれる。
【００３６】
また、撮影装置１３側の撮影処理条件には、図６に示す撮影処理モード３のように、露光時間Ａｕｔｏ、Ｆｎｏ（絞り）Ａｕｔｏ、露出補正無、感度高、ガンマ値−、測光エリア：中央スポット、シャープネス標準、コントラスト＋、色標準の各設定情報が含まれる。
【００３７】
この撮影処理モード３の各条件を指定して被検眼Ｅを撮影した場合、図４に示す撮影処理モード３の最右欄に示す中央部に角膜断面像１０３（クロス斜線で示す）がハイライト的に存在する被検眼画像を撮影できる。また、角膜断面像１０３の近くには透明体中の浮遊物像１０４（小丸を付して示す）が多く見られる。
【００３８】
この撮影処理モード３の場合、撮影したい部位とは異なる部分に照明光を当て、その反射光で撮影部位を照明させる。撮影部位は画像中央に位置するため、スポット測光を行い、ハイライト部／暗部に露出が影響を受けないようにする。撮影部位の多くは透明体中の浮遊物で、コントラストが低いため、コントラストを強調する必要がある。
【００３９】
（４）撮影処理モード４（蛍光モード）
この撮影処理モード４の場合、記憶手段６１に記憶される本体２０側の撮影条件としては、図４に示すように、観察倍率：１６（１．６）、スリット幅：全開、撮影光量：４〜５、照明角度：１０〜３０度、背景照明：無、拡散レンズ８０：無の各設定情報が含まれる。
【００４０】
また、撮影装置１３側の撮影処理条件には、図６に示す撮影処理モード４のように、露光時間Ａｕｔｏ、Ｆｎｏ（絞り）Ａｕｔｏ、露出補正−、感度Ａｕｔｏ、ガンマ値＋、測光エリア：中央重点でハイライトを無視、シャープネス＋、コントラスト＋、色：緑強調の各設定情報が含まれる。
【００４１】
この撮影処理モード４の各条件を指定して被検眼Ｅを撮影した場合、図４に示す撮影処理モード４の最右欄に示すように被検眼画像中に蛍光染色された緑色部位１０５を撮影することができる。
【００４２】
この撮影処理モード３の場合、被検眼画像の明暗や緑色を強調させる。また強調の不自然さを解消するため、露出は抑え目にするものである。
【００４３】
（５）撮影処理モード５（水晶体／硝子体モード）
この撮影処理モード５の場合、図５に示すように照明系６において背景照明部８１を使用し、記憶手段６１に記憶される本体２０側の撮影条件としては、図５に示すように、観察倍率：１６（１．６）、スリット幅：極細、撮影光量：４〜５、照明角度：３０〜６０度、背景照明：必要によりＬ（小）Ｈ（大）、拡散レンズ：無の各設定情報が含まれる。
【００４４】
また、撮影装置１３側の撮影処理条件には、図６に示す撮影処理モード５のように、露光時間Ａｕｔｏ、Ｆｎｏ（絞り）大、露出補正無、感度高、ガンマ値＋、測光エリア：中央重点でハイライトを無視、シャープネス標準、コントラスト＋、色：標準の各設定情報が含まれる。
【００４５】
この撮影処理モード５の各条件を指定して被検眼Ｅを撮影した場合、図５に示す撮影処理モード５の最右欄に示すように、被検眼画像中に角膜断面像１０６（クロス斜線で示す）と水晶体像１０７（斜線で示す）を撮影することができる。
【００４６】
撮影処理モード５の場合、深度を深くし、ガンマ値を上げる。また細いスリット光を角膜より奥の透明組織に当て、そのスリット反射光を撮影対象とする。水晶体／硝子体は厚く、深度を深くするため絞りを大きくする。さらに角膜上や結膜に強い不要な反射光があるので、測光ではこれを無視する。またガンマ値、コントラストを上げ、必要部位を浮かび上がらせるようにするものである。
【００４７】
（６）撮影処理モード６（徹照モード）
この撮影処理モード６の場合、記憶手段６１に記憶される本体２０側の撮影条件としては、図５に示すように、観察倍率：２５（２．５）、スリット幅：広、撮影光量：３〜４、照明角度：０度、背景照明：必要によりＬ（小）Ｈ（大）、拡散レンズ：無の各設定情報が含まれる。
【００４８】
また、撮影装置１３側の撮影処理条件には、図６に示す撮影処理モード６のように、露光時間Ａｕｔｏ、Ｆｎｏ（絞り）Ａｕｔｏ、露出補正無、感度Ａｕｔｏ、ガンマ値標準、測光エリア：中央重点でハイライトを無視、シャープネス＋、コントラスト＋、色：標準の各設定情報が含まれる。
【００４９】
この撮影処理モード６の各条件を指定して被検眼Ｅを撮影した場合、図５に示す撮影処理モード６の最右欄に示すように、被検眼Ｅの眼底像１０８（クロス斜線で示す）がハイライト的に撮影される。
【００５０】
この撮影処理モード６の場合、被検眼Ｅにおける散瞳した瞳孔の縁からスリット光を対物レンズ３１の光軸と同軸に照射し、眼底反射が最大となるように照明系６をシフトする。この撮影処理モード６においては、網膜等の反射光を利用し、透明組織表面の微妙な変化や影を撮影することができる。また、シャープネス、コントラストを上げ、微妙な変化を強調する。さらに角膜上に強い不要な反射光があるので、測光ではこれを無視するものである。
【００５１】
（７）撮影処理モード７（眼底／隅角モード）
この撮影処理モード７の場合、記憶手段６１に記憶される本体２０側の撮影条件としては、図５に示すように、観察倍率：２５（２．５）、スリット幅：広、撮影光量：２〜３、照明角度：０〜１０度、背景照明：無、拡散レンズ：無の各設定情報が含まれる。さらに、補助レンズ（隅角鏡）８２を被検眼Ｅの眼前に使用する。
【００５２】
また、撮影装置１３側の撮影処理条件には、図６に示す撮影処理モード７のように、露光時間Ａｕｔｏ、Ｆｎｏ（絞り）Ａｕｔｏ、露出補正無、感度Ａｕｔｏ、ガンマ値標準、測光エリア：中央重点でハイライトを無視、シャープネス＋、コントラスト＋、色：標準の各設定情報が含まれる。
【００５３】
この撮影処理モード７の各条件を指定して被検眼Ｅを撮影した場合、図５に示す撮影処理モード７の最右欄に示すように、被検眼画像の中央部に眼底像１０９が表示される。眼底像１０９の周囲は暗部（斜線で示す）となる。
【００５４】
この撮影処理モード７の場合、眼球の奥や端を撮影するものであり、撮影目標である中央部以外は暗部が多く、暗部を測光演算に加えないようにして無視し、またシャープネス、コントラストを上げ、血管等を目立たせるようにする。
【００５５】
（８）その他、極細のスリット像、接線照明、チンダル照明、鏡面反射、各種フィルター、各種補助レンズに対応した撮影処理モードを用意することができる。
【００５６】
以上説明した本実施の形態１の眼科撮影装置１によれば、検者は熟練を要することなく、前記指定手段６２により、記憶手段６１に記憶されている被検眼Ｅの撮影時の複数種の撮影処理モード毎の本体側撮影条件、撮影装置側撮影処理条件を容易に指定し、指定した撮影処理モードに応じた的確な被検眼画像を簡略に得ることが可能となる。
【００５７】
即ち、検者は、既述した前記拡散照明モード、直接照明モード、間接照明モード、蛍光モード、水晶体／硝子体モード、徹照モード及び眼底／隅角モードの中から、所望の撮影処理モードを任意に選定し撮像装置１３による撮影を行うことができ、この場合、各撮影処理モード毎に、本体２０側の撮影条件として、観察倍率、スリット幅、撮影光量、照明角度、背景照明の有無、拡散レンズ８０の有無の設定情報が各々含まれ、撮影装置１３側の撮影処理条件として、露光時間、絞り、露出補正の有無、感度、ガンマ値、測光エリア、シャープネス、コントラスト、色の設定情報が各々含まれ、これらが指定した撮影処理モードに応じて本体２０側、撮影装置１３側に各々設定されるので、検者は、被検眼Ｅの病変部１０１、角膜断面像１０２、１０３、透明体中の浮遊物像１０４、蛍光撮影における染色部位１０５、水晶体、眼底像１０９等の各種の画像を各々的確に撮影することが可能となる。
【００５８】
尚、上述した実施の形態１では、撮影装置１３としてデジタルカメラを用いたが、３５ｍｍ静止画カメラを使用する事もでき、この場合には撮影処理モードの設定にあたり、フィルム感度等の撮影処理条件が考慮される。
【００５９】
尚、上述した実施の形態１の他、スリット幅検知により撮影装置１３の露光時間を調整したり、ある被検者の撮影時における照明系７のスリット幅、背景照明光量、支持アーム１４の角度、観察系６の煽り角度等の情報を記憶し当該被検者の被検眼に対する後の撮影時に役立てたり、これらの情報を教材用ソフトと連携したりすることも可能である。
【００６０】
（実施の形態２）
次に本発明の実施の形態２を図７乃至図１０を参照して説明する。
【００６１】
図７は本実施の形態２の眼科撮影装置の外観図、図８は本実施の形態２の眼科撮影装置の光学系及び制御系のブロック図である。
【００６２】
図７において、２０１は眼科撮影装置のベースであり、このベース２０１の左右前端部には支柱２０２，２０２を有する被検者用の顎受け台２０３が配置されている。
【００６３】
ベース２０１には、架台２０５が装着されている。架台２０５にはジョイスティック２０６が設けられ、このジョイスティック２０６を操作することにより、架台２０５を前後・左右に移動させることができる。架台２０５にはアーム２０７，２０８を介して本体２０９が取り付けられている。本体２０９の前面には光学系の対物レンズを内蔵した鏡筒２０９ａは突出して設けられ、また反対側の面には撮像装置であるデジタルカメラ２１０が取り付けられている。架台２０５上には右目・左目の切換操作を行うための操作スイッチ２１１が取り付けられている。
【００６４】
次に、本体２０９の光学系及び制御系の構成について図８を用いて説明する。本体２０９内には照明光学系２２０および撮像光学系２３０が設けられている。照明光学系２２０は、凹面鏡２２１、照明用のハロゲンランプ２２２、リレーレンズ２２３、撮影用のキセノンランプ２２４、コンデンサーレンズ２２５、反射ミラー２２６、リレーレンズ２２７から大略構成され、孔２２８ａを有する孔あきミラー２２８、対物レンズ２２９を介して被検眼Ｅの眼底Ｅｒに照明光が導かれるように構成されている。
【００６５】
撮影光学系２３０は、対物レンズ２２９、孔あきミラー２２８、フォーカスレンズ２３１、クイックリターンミラー２３２、リレーレンズ２３３、反射ミラー２３４、デジタルカメラ２１０に搭載されているカラーＣＣＤ２３５から大略構成されている。フォーカスレンズ２３１は、図示しない駆動機構により図８に実線で示した位置と二点鎖線で示した位置との間で移動調整され、フォーカス動作を行うようになっている。図８において、Ｅ１，Ｅ２は照明光学系２０に挿脱自在に設けられたエキサイターフィルタとそのダミーフィルタ、Ｂ１，Ｂ２は撮影光学系３０に挿脱自在に設けられたバリアフィルタとそのダミーフィルタである。
【００６６】
本実施の形態２の眼科撮影装置は、さらに以下に詳述する撮影記録処理手段２４０及び指定手段２４１、被検眼画像を表示する画像モニタ２４２、被検眼画像情報を記録する画像記録装置２４３を具備している。
【００６７】
指定手段２４１は、図９に示すように前記被検眼Ｅに対する白内障モードを指定するモードスイッチ２４１Ａと、回転操作により混濁度の程度（１乃至９）を指定する混濁度スイッチ２４１Ｂとを具備している。
【００６８】
撮影記録処理手段２４０は、前記デジタルカメラ２１０におけるカラー撮像素子２３５の出力であるレッド（Ｒ）、グリーン（Ｇ）、ブルー（Ｂ）の信号成分をＡ／Ｄ変換するＡ／Ｄ変換部２５１と、Ａ／Ｄ変換された各信号に対するゲイン調整を行うゲイン調整器２５２Ｒ、２５２Ｇ、２５２Ｂと、ゲイン調整器２５２Ｒ、２５２Ｇ、２５２Ｂからの各信号成分を入力して画像処理を行う画像処理部２５３と、前記混濁度スイッチ２４１Ｂにより指定する混濁度の程度に応じて撮影用のキセノンランプ２２４に対する撮影光量調整を行う光量調整部２５４と、前記混濁度スイッチ２４１Ｂにより指定する混濁度の程度に応じて前記デジタルカメラ２１０におけるカラー撮像素子２３５に関する前記混濁度の程度に応じた撮影処理条件であるブルー（Ｂ）ゲイン調整信号をゲイン調整器２５２Ｂに送るゲイン調整部２５５とを有している。
【００６９】
前記混濁度の程度、すなわち、数値１乃至９は、図１０に示すように、値１が混濁度が非常に少ない状態、値５が混濁度がやや強い状態、値１０が混濁度が非常に強い状態というように数値が大きくなるほど混濁度が増すことを意味している。
【００７０】
前記混濁度の程度に応じたブルー（Ｂ）ゲイン調整信号は、例えば図１０に示すように、混濁度が増加するに従ってカラー撮像素子２３５からのブルー成分が増加することから、混濁度が増加する方向に向かって相対数値で９（ゲイン大）・・・６（ゲイン中）・・・１（ゲイン小）というように設定され、混濁度の程度に応じて各々適切な撮影を可能としている。
【００７１】
前記混濁度の程度に応じた光量調整部２５４によるキセノンランプ２２４に対する撮影条件である撮影光量調整は、例えば図１０に示すように、混濁度が増加するに従って白内障部分のブルー成分による反射光量が増加することから、混濁度が増加する方向に向かって相対数値で９（撮影光量略通常）・・・６（撮影光量中）・・・１（撮影光量小）というように設定され、混濁度の程度に応じて各々サチュレーションのない適切な撮影を可能としている。
【００７２】
本実施の形態２の眼科撮影装置によれば、デジタルカメラ２１０による白内障被検眼の撮影時において、白内障モードを指定しかつ混濁度を指定することにより、被検眼Ｅに対する白内障の混濁度の程度に応じて、キセノンランプ２２４の撮影光量の調整が行われ、また、混濁度の程度に応じたカラー撮像素子２３５の出力に対するブルーゲイン調整が行われるので、白内障を患っている被検眼Ｅに対する撮影をその混濁度の度合いに応じて各々的確に撮影することが可能となる。
【００７３】
また、本実施の形態２の眼科撮影装置において、指定手段２４１を用いる代わりに、被検眼Ｅの白内障の混濁度の程度を水晶体からの反射光量又は水晶体を透過する光の透過光量により検出する検出手段を設け、この検出手段の検出結果を基にキセノンランプ２２４の撮影光量の調整、混濁度の程度に応じたカラー撮像素子２３５の出力に対するブルーゲイン調整を行う事で、白内障を患っている被検眼Ｅに対する撮影をその混濁度の度合いに応じて各々的確に撮影することが可能となる。
【００７４】
尚、上述した場合の他、白内障の混濁度の程度の情報を前記画像記録装置２４３に送って画像記録装置２４３側で画像記録時のブルーゲインを調整したり、画像記録装置２４３側から前記ゲイン調整部２５５にブルーゲインを変更する信号を送ってブルーゲインの調整を行ったりという応用も可能である。
【００７６】
【発明の効果】
本発明によれば、白内障モードを指定して、又は白内障の程度を検出して白内障を患っている被検眼に対する撮影をその混濁度の度合いに応じて各々的確に撮影することが可能な眼科撮影装置を提供することができる。
【図面の簡単な説明】
【図１】本発明の実施の形態１の眼科撮影装置の全体構成を示す概略図である。
【図２】本実施の形態１の本体の光学系、制御系を示す概略構成図である。
【図３】本実施の形態１の眼科撮影装置の制御系を示すブロック図である。
【図４】本実施の形態１における各撮影処理モード１乃至４に対応する本体側と被検眼との配置、本体側の撮影条件及び被検眼の画像を示す説明図である。
【図５】本実施の形態１における各撮影処理モード５乃至７に対応する本体側と被検眼との配置、本体側の撮影条件及び被検眼の画像を示す説明図である。
【図６】本実施の形態１における各撮影処理モードに対応する撮影装置側の撮影処理条件を示す説明図である。
【図７】本発明の実施の形態２の眼科撮影装置の全体構成を示す概略図である。
【図８】本実施の形態２の本体の光学系、制御系を示す概略構成図である。
【図９】本実施の形態２の制御系を示す概略ブロック図である。
【図１０】本実施の形態２の白内障の混濁度に応じたカラー撮像素子のブルーゲイン、撮影光量の相対数値による設定例を示す表である。
【符号の説明】
１  眼科撮影装置
２  テーブル
３  移動機構部
４  基台
４ａ  突出軸筒部
５  操作ハンドル
６  照明系
６ａ  光源部
７  観察系
９  鏡筒本体
９ａ  接眼鏡筒
１０  顎受け台
１０ａ  顎受部
１０ｂ  額当て
１０ｃ  基部
１１  架台
１２  プリズム
１３  撮影装置
１４  支持アーム
１５  電源ボックス
１６  カメラアタッチメント
２０  装置本体
２１  画像モニタ
３１  対物レンズ
３２  変倍光学系
３３  集光レンズ
３４  ビームスプリッタ
３５  リレーレンズ
３６  プリズム
３７  接眼レンズ
４０  制御装置
４１  集光レンズ
５１  光源
５２  コンデンサレンズ
５３  赤外線カットフィルタ
５４  色温度変換フィルタ
５５  ミラー
５６  スリット
５７  リレーレンズ
５８  光束絞り部
６０  制御部
６１  記憶手段
６２  指定手段
６３  画像処理手段
７１  撮影装置制御ケーブル
７２  本体制御ケーブル
８０  拡散レンズ
８１  背景照明部
８２  補助レンズ
１０１  病変部
１０２  角膜断面像
１０３  角膜断面像
１０４  浮遊物像
１０５  緑色部位
１０６  角膜断面像
１０７  水晶体像
１０８  眼底像
１０９  眼底像
２０９  本体
２１０  デジタルカメラ
２２０  照明光学系
２３０  撮像光学系
２３５  カラー撮像素子
２４０  撮影記録処理手段
２４１  指定手段
２４２  画像モニタ
２４３  画像記録装置
２４１Ａ  モードスイッチ
２４１Ｂ  混濁度スイッチ
２５４  光量調整部
２５５  ゲイン調整部
Ｅ  被検眼
Ｅｏ  検者眼
【図１】
0003756127.tif 000002
【図２】
0003756127.tif 000003
【図３】
0003756127.tif 000004
【図４】
0003756127.tif 000005
【図５】
0003756127.tif 000006
【図６】
0003756127.tif 000007
【図７】
0003756127.tif 000008
【図８】
0003756127.tif 000009
【図９】
0003756127.tif 000010
【図１０】
0003756127.tif 000011